(57)【要約】【課題】通報者が所在位置を把握することなく、原稿の情報に正確な所在地の情報を付加して通知する装置を提供する。【解決手段】印刷装置１００は、原稿を読み取り、読み取った原稿の画像データを出力する原稿読取部１０２と、原稿の画像データに対して画像処理を施し、原稿に含まれる所定の情報を抽出する画像処理部１０４と、所在する位置を規定する位置情報を設定する位置情報取得部１０６と、位置情報を記憶する記憶部１０８と、位置情報に基づいて、電子メールアドレスを設定するメールアドレス設定部１１０と、メールアドレス設定部１１０が設定した電子メールアドレスを送信元とし、画像処理部１０４が抽出した所定の情報を含む電子メールを所定の相手に送信する通信部１１２と、を備える。【選択図】図１
2016091446.tif 000002
【特許請求の範囲】
【請求項１】
原稿を読み取り、読み取った前記原稿の画像データを出力する原稿読取部と、
前記原稿読取部が出力する前記画像データに対して画像処理を施し、前記原稿に含まれる所定の情報を抽出する画像処理部と、
所在する位置を規定する位置情報を設定する位置情報設定部と、
前記位置情報を記憶する記憶部と、
前記記憶部が記憶する前記位置情報に基づいて、電子メールアドレスを設定するメールアドレス設定部と、
前記メールアドレス設定部が設定した前記電子メールアドレスを送信元とし、前記画像処理部が抽出した前記所定の情報を含む電子メールを所定の相手に送信する通信部と、を備えることを特徴とする情報処理装置。
【請求項２】
請求項１に記載の情報処理装置において、
前記電子メールアドレスを送信先とする前記電子メールを受信する受信部と、
前記受信部が受信した前記電子メールに前記画像データが含まれる場合、前記電子メールから前記画像データを抽出し、抽出した前記画像データに基づく画像を媒体に印刷する印刷部と、を備えることを特徴とする情報処理装置。
【請求項３】
請求項１乃至２のいずれかに記載の情報処理装置において、
前記所定の相手はサーバー装置であり、
前記メールアドレス設定部は、前記サーバー装置から付与される第１の前記電子メールアドレスと、前記記憶部が記憶する前記位置情報と、に基づいて第２の前記電子メールアドレスを決定し、決定した第２の前記電子メールアドレスを前記サーバー装置に設定させることを特徴とする情報処理装置。
【請求項４】
請求項１乃至３のいずれか１項に記載の情報処理装置において、
前記所定の情報は、個人の安否に関する情報、および、災害被害に関する情報の少なくとも１つを含むことを特徴とする情報処理装置。
【請求項５】
請求項１乃至４のいずれか１項に記載の情報処理装置において、
前記所定の情報は、所定の識別子で表示されることを特徴とする情報処理装置。
【請求項６】
請求項１乃至５のいずれか１項に記載の情報処理装置において、
前記位置情報は、衛星測位システムから取得することを特徴とする情報処理装置。
【請求項７】
情報処理装置と通信可能に接続されたサーバー装置であって、
前記情報処理装置と通信する通信部と、
前記通信部を介して前記情報処理装置から電子メールを受信した場合、前記電子メールに含まれる電子メールアドレスを解析し、前記情報処理装置の位置情報を取得する電子メール解析部と、
前記情報処理装置の前記位置情報および前記電子メールに含まれる所定の情報を関連付けて記憶する記憶部と、
前記記憶部に記憶した前記所定の情報または前記位置情報に応じて、所定のサービスを提供するサービス部と、を備えることを特徴とするサーバー装置。
【請求項８】
請求項７に記載のサーバー装置において、
前記サービス部は、指定された前記位置情報に関する情報提供を要求された場合、指定された前記位置情報に係る前記所定の情報を前記記憶部から取得し、取得した前記所定の情報を提供することを特徴とするサーバー装置。
【請求項９】
請求項７乃至８のいずれかに記載のサーバー装置において、
前記サービス部は、指定された個人の所在位置に関する情報提供を要求された場合、指定された前記個人が所在する前記位置情報を前記記憶部から取得し、取得した前記位置情報を提供することを特徴とするサーバー装置。
【請求項１０】
請求項７乃至９のいずれか１項に記載のサーバー装置において、
前記サービス部は、指定された地域に対する情報出力を要求された場合、指定された前記地域に所在する前記情報処理装置の情報を前記記憶部から取得し、取得した前記情報処理装置に対して前記情報を出力させることを特徴とするサーバー装置。
【請求項１１】
情報処理装置およびサーバー装置が通信可能に接続された情報配信システムであって、
前記情報処理装置は、
原稿を読み取り、読み取った前記原稿の画像データを出力する原稿読取部と、
前記原稿読取部が出力する前記原稿の画像データに対して画像処理を施し、前記原稿に含まれる所定の情報を抽出する画像処理部と、
所在する位置を規定する位置情報を設定する位置情報設定部と、
前記位置情報を記憶する記憶部と、
前記記憶部が記憶する前記位置情報に基づいて、電子メールアドレスを設定するメールアドレス設定部と、
前記画像処理部が抽出した前記所定の情報を含む電子メールを、前記メールアドレス設定部が設定した前記電子メールアドレスを送信元として前記サーバー装置に送信する通信部と、を備え、
前記サーバー装置は、
前記情報処理装置と通信する通信部と、
前記通信部を介して前記情報処理装置から前記電子メールを受信した場合、前記電子メールに含まれる前記電子メールアドレスを解析し、前記位置情報を取得する電子メール解析部と、
前記情報処理装置の前記位置情報および前記電子メールに含まれる前記所定の情報を関連付けて記憶する記憶部と、
前記記憶部に記憶した前記所定の情報または前記位置情報に応じて、所定のサービスを提供するサービス部と、を備えることを特徴とする情報配信システム。
【発明の詳細な説明】
【技術分野】
【０００１】
本発明は、情報処理装置、サーバー装置および情報配信システムに関する。
【背景技術】
【０００２】
近年、災害に対する危機管理の必要性が強く求められている。特に地震や風水害、火山災害等の大規模災害では、災害発生地域の居住者等の安否をいち早く確認することが重要であり、これを支援するサービスやシステムが提案され、提供されている。
例えば、下記特許文献１に示すように、所定の登録フォームに種々の情報を記載して光学的に読み込ませ、読み込んだ画像データをセンター装置に送信することにより、災害被害等の情報を集約するための画像処理装置が提案されている。
【先行技術文献】
【特許文献】
【０００３】
【特許文献１】特開２０１２−５９３０３号公報
【発明の概要】
【発明が解決しようとする課題】
【０００４】
しかしながら、登録フォームは記載するフォーマットが予め規定されているため、登録フォームの記載に不慣れな通報者にとっては登録フォームの作成は煩雑であった。また、登録フォームに決められた書式で記載する方式では、通報者が登録フォーム以外の情報を通知したい場合に通知できないという課題があった。
本発明は、上述の課題に鑑みてなされたものであり、通報者が任意のフォーマットで簡易に情報を収集者へ通知し、収集者は位置情報を含んだ任意のフォーマットの情報を収集することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる情報処理装置は、原稿を読み取り、読み取った前記原稿の画像データを出力する原稿読取部と、前記原稿読取部が出力する前記画像データに対して画像処理を施し、前記原稿に含まれる所定の情報を抽出する画像処理部と、所在する位置を規定する位置情報を設定する位置情報設定部と、前記位置情報を記憶する記憶部と、前記記憶部が記憶する前記位置情報に基づいて、電子メールアドレスを設定するメールアドレス設定部と、前記メールアドレス設定部が設定した前記電子メールアドレスを送信元とし、前記画像処理部が抽出した前記所定の情報を含む電子メールを所定の相手に送信する通信部と、を備えることを特徴とする。
【０００７】
このような構成によれば、情報処理装置が読み取った原稿の画像データは、画像処理されて所定の情報が抽出され、抽出された所定の情報は、所在する位置を規定する位置情報に基づいて設定された電子メールアドレスを送信元として所定の相手に電子メールで送られる。従って、所定の相手は、受け取った電子メールの電子メールアドレスから、情報処理装置が所在する位置情報を認知できるため、原稿を送信する通報者は、情報処理装置が所在する位置を把握して原稿に記載することなく自身の所在位置を容易に通知できる。
【０００８】
［適用例２］
上記適用例にかかる情報処理装置において、前記電子メールアドレスを送信先とする前記電子メールを受信する受信部と、前記受信部が受信した前記電子メールに前記画像データが含まれる場合、前記電子メールから前記画像データを抽出し、抽出した前記画像データに基づく画像を媒体に印刷する印刷部と、を備えることが好ましい。
【０００９】
このような構成によれば、受信した電子メールが画像データを含む場合、画像データを抽出し、抽出した画像データに基づく画像を媒体に印刷することで、電子メールを用いて情報処理装置からの印刷を容易に指示できる。
【００１０】
［適用例３］
上記適用例にかかる情報処理装置において、前記所定の相手はサーバー装置であり、前記メールアドレス設定部は、前記サーバー装置から付与される第１の前記電子メールアドレスと、前記記憶部が記憶する前記位置情報と、に基づいて第２の前記電子メールアドレスを決定し、決定した第２の前記電子メールアドレスを前記サーバー装置に設定させることが好ましい。
【００１１】
このような構成によれば、情報処理装置は、サーバー装置から付与される第１の電子メールアドレスと、記憶部が記憶する位置情報と、に基づいて第２の電子メールアドレスを決定するため、位置情報に応じた第２の電子メールアドレスを設定できる。
【００１２】
［適用例４］
上記適用例にかかる情報処理装置において、前記所定の情報は、個人の安否に関する情報、および、災害被害に関する情報の少なくとも１つを含むことが好ましい。
【００１３】
このような構成によれば、個人の安否に関する情報や災害被害に関する情報を、位置情報と共に電子メールで通知できる。
【００１４】
［適用例５］
上記適用例にかかる情報処理装置において、前記所定の情報は、所定の識別子で表示されても良い。
【００１５】
［適用例６］
上記適用例にかかる情報処理装置において、前記位置情報は、衛星測位システムから取得しても良い。
【００１６】
［適用例７］
本適用例にかかるサーバー装置は、情報処理装置と通信可能に接続されたサーバー装置であって、前記情報処理装置と通信する通信部と、前記通信部を介して前記情報処理装置から電子メールを受信した場合、前記電子メールに含まれる電子メールアドレスを解析し、前記情報処理装置の位置情報を取得する電子メール解析部と、前記情報処理装置の前記位置情報および前記電子メールに含まれる所定の情報を関連付けて記憶する記憶部と、前記記憶部に記憶した前記所定の情報または前記位置情報に応じて、所定のサービスを提供するサービス部と、を備えることを特徴とする。
【００１７】
このような構成によれば、サーバー装置は、情報処理装置から送信された電子メールを受信した場合、電子メールアドレスを解析することで情報処理装置の所在する位置情報を取得できるため、情報処理装置が所在する位置を電子メールアドレスから取得できる。更に、電子メールに含まれる所定の情報および位置情報を関連付けて記憶しておき、記憶した所定の情報または位置情報に応じて、所定のサービスを提供できる。
【００１８】
［適用例８］
上記適用例にかかるサーバー装置において、前記サービス部は、指定された前記位置情報に関する情報提供を要求された場合、指定された前記位置情報に係る前記所定の情報を前記記憶部から取得し、取得した前記所定の情報を提供することが好ましい。
【００１９】
このような構成によれば、サービス部は、指定された位置情報に関する情報を要求に応じて提供できる。
【００２０】
［適用例９］
上記適用例にかかるサーバー装置において、前記サービス部は、指定された個人の所在位置に関する情報提供を要求された場合、指定された前記個人が所在する前記位置情報を前記記憶部から取得し、取得した前記位置情報を提供することが好ましい。
【００２１】
このような構成によれば、サービス部は、指定された個人の所在情報を要求に応じて提供できる。
【００２２】
［適用例１０］
上記適用例にかかるサーバー装置において、前記サービス部は、指定された地域に対する情報出力を要求された場合、指定された前記地域に所在する前記情報処理装置の情報を前記記憶部から取得し、取得した前記情報処理装置に対して前記情報を出力させることが好ましい。
【００２３】
このような構成によれば、サービス部は、指定された地域に対する情報出力を要求に応じて提供できる。
【００２４】
［適用例１１］
本適用例にかかる情報配信システムは、情報処理装置およびサーバー装置が通信可能に接続された情報配信システムであって、前記情報処理装置は、原稿を読み取り、読み取った前記原稿の画像データを出力する原稿読取部と、前記原稿読取部が出力する前記原稿の画像データに対して画像処理を施し、前記原稿に含まれる所定の情報を抽出する画像処理部と、所在する位置を規定する位置情報を設定する位置情報設定部と、前記位置情報を記憶する記憶部と、前記記憶部が記憶する前記位置情報に基づいて、電子メールアドレスを設定するメールアドレス設定部と、前記画像処理部が抽出した前記所定の情報を含む電子メールを、前記メールアドレス設定部が設定した前記電子メールアドレスを送信元として前記サーバー装置に送信する通信部と、を備え、前記サーバー装置は、前記情報処理装置と通信する通信部と、前記通信部を介して前記情報処理装置から前記電子メールを受信した場合、前記電子メールに含まれる前記電子メールアドレスを解析し、前記位置情報を取得する電子メール解析部と、前記情報処理装置の前記位置情報および前記電子メールに含まれる前記所定の情報を関連付けて記憶する記憶部と、前記記憶部に記憶した前記所定の情報または前記位置情報に応じて、所定のサービスを提供するサービス部と、を備えることを特徴とする。
【００２５】
このような構成によれば、情報処理装置が読み取った原稿の画像データは、画像処理されて所定の情報が抽出され、抽出された所定の情報は、所在する位置を規定する位置情報に基づいて設定された電子メールアドレスを送信元としてサーバー装置に電子メールで送られる。サーバー装置は、情報処理装置から送信された電子メールを受信した場合、電子メールアドレスを解析することで情報処理装置の所在する位置情報を取得できるため、情報処理装置が所在する位置を電子メールアドレスから取得できる。従って、原稿を送信する通報者は、情報処理装置が所在する位置を把握して原稿に記載することなく自身の所在位置をサーバー装置に通知できる。
【図面の簡単な説明】
【００２６】
【図１】本実施形態の発明に係る情報配信システムの構成を示すブロック図。
【図２】ネットワークプリントを登録する処理の流れを示すフローチャート。
【図３】個人の所在位置を登録する処理の流れを示すフローチャート。
【図４】指定した領域の個人への情報提供処理の流れを示すフローチャート。
【発明を実施するための形態】
【００２７】
以下、本発明の実施形態について図面を参照して説明する。
【００２８】
（実施形態）
図１は、本実施形態の発明に係る情報配信システム５０の構成を示すブロック図である。情報配信システム５０は、情報処理装置としての印刷装置１００と、サーバー装置としてのサーバー２００と、を備え、ネットワーク６０を介して互いに通信可能に接続されている。また、この情報配信システム５０では、サーバー２００に対して複数の印刷装置１００を接続することができる。また、関係者、官公庁および報道機関等のサービス利用者７０は、この情報配信システム５０を利用し、所定のサービスを享受できる。
【００２９】
＜印刷装置＞
本実施形態では、印刷装置１００は、印刷機能に加え、原稿画像の読み取り機能を備えた、所謂、プリンター複合機を想定する。即ち、印刷装置１００は、原稿読取部１０２、画像処理部１０４、位置情報取得部１０６、記憶部１０８、メールアドレス設定部１１０、通信部１１２、画像印刷部１１８を備える。
また、通信部１１２は、受信部１１４および送信部１１６を備え、ネットワーク６０としてＷｉＦｉ（登録商標）のような無線ＬＡＮ（Local Area Network）に対応するように構成されている。
原稿読取部１０２は、原稿を光学的に読み取るフラットベッド方式のスキャナー機構を想定する。即ち、原稿読取部１０２は、何れも図示を略した、原稿台、照明ランプ、光学系およびＣＣＤ（Charge Coupled Device）等を有するキャリッジと、このキャリッジを一方向（主走査方向）に移動させるための案内機構と、で構成される。
【００３０】
原稿読取部１０２は、印刷装置１００のユーザーからの操作指示に基づいて、原稿台に載置された原稿をスキャン動作によって図形や写真または文字などを所定の読み取り条件で光学的に読み取り、読み取った画像のデータを画像処理部１０４に送る。
画像処理部１０４は、原稿に氏名、安否情報やバーコード等の所定の識別子が含まれる場合、画像処理を施すことで、原稿の中からこれらの情報を抽出する機能も備える。画像処理部１０４は、このような画像処理を施した後、画像データを所定の画像ファイル形式に変換して通信部１１２に送る。
位置情報取得部１０６は、位置情報設定部に相当し、印刷装置１００が載置されている位置に関する情報を取得したり、設定したりする。本実施形態では、位置情報取得部１０６は、ＧＰＳ（Global Positioning System）に代表されるように、人工衛星による衛星測位システムを利用して自身の位置を測定することにより取得するが、これには限定されない。例えば、通信部１１２が通信する無線ＬＡＮが備える位置情報サービス機能を利用して自身の位置を取得しても良い。また、直接位置情報を入力しても良い。
【００３１】
尚、衛星測位システムや位置情報サービスは、位置に関する情報を経度および緯度に換算して出力する。サーバー２００が備える位置情報変換サービス部２２０が提供するサービスを利用して、経度および緯度で記述された位置に関する情報は、ユニバーサル横メルカトル図法座標系（ＵＴＭ座標系と略す）で示す位置情報に変換される。変換された位置情報はユニークな複数の文字列で表示される。この場合、複数の文字列は、経度および緯度で位置を表示する場合に比べて、少ない情報量で位置情報を表示できる。
位置情報取得部１０６は、変換した位置情報を記憶部１０８に記憶する。この位置情報は、必要に応じてメールアドレス設定部１１０から参照される。
【００３２】
尚、本実施形態では、印刷装置１００は、サーバー２００が備える位置情報変換サービス部２２０により位置情報の変換処理を行ったが、これには限定されず、ＵＴＭ座標系変換サービスを提供するクラウドコンピューター等から変換サービスを受ける態様も想定できる。また、印刷装置１００の近傍の標識などに貼付されているＵＴＭ座標を入力して代用してもよい。
画像印刷部１１８は、通信部１１２から送られる画像データに基づくイメージ画像を印刷用紙に印刷する機能を備える。
本実施形態では、画像印刷部１１８はインクジェット方式を採用する。
【００３３】
尚、本実施形態では、印刷装置１００は、種々のネットワークプリントに対応している。例えば、この印刷装置１００は、ユーザーが電子メールに画像データを添付し、印刷装置１００に付与された電子メールアドレス（メールアドレス）に送信することにより、添付した画像データを印刷装置１００から印刷することができる（この印刷形態をメールプリントと呼ぶ）。
この場合、ユーザーは印刷装置１００をサーバー２００に登録する必要があり、サーバー２００は印刷装置１００を登録すると、印刷装置１００に対して一意に対応するメールアドレス（初期メールアドレス）を付与する。印刷装置１００は、付与されたメールアドレスを記憶部１０８に記憶する。そして、印刷装置１００は、付与されたメールアドレスを送信先として画像データが添付された電子メールを受信部１１４が受信した場合、電子メールに添付された画像データに基づく画像を画像印刷部１１８で印刷する。
【００３４】
また、印刷装置１００は、原稿読取部１０２が原稿を読み取り、画像処理部１０４が変換した原稿の画像データを、所定の相手であるサーバー２００に対する電子メールに添付して送信部１１６から送信できる。この場合、電子メールには送信元を規定する印刷装置１００のメールアドレスの情報が付加されているため、サーバー２００はメールアドレスを解析することで、送信した印刷装置１００を識別できる。
また、メールアドレス設定部１１０は、記憶部１０８に記憶されたＵＴＭ座標系に基づく位置情報に基づいて、自身のメールアドレスを作成する。例えば、メールアドレス設定部１１０は、ＵＴＭ座標系に基づく自身の位置を示す複数の文字列をメールアドレスのアカウント名の少なくとも一部とするように作成し、ドメイン名は初期メールアドレスのドメイン部分を採用する。
例えば、ＵＴＭ座標系で示した位置情報が、「５３ＳＭＥ  ０１５−０３４」である場合、作成されるメールアドレスは、「53SME015034@ドメイン名」となる。
【００３５】
メールアドレス設定部１１０は、このようにして作成したメールアドレスを自身のメールアドレスとしてサーバー２００に登録して設定する。この場合、作成したメールアドレス（第２の電子メールアドレス）を初期メールアドレス（第１の電子メールアドレス）と差し替えて登録しても良く、また、初期メールアドレスに加えて、作成したメールアドレスをサブアドレスとして登録しても良い。このようにして設定されたメールアドレスは、メールプリントを行う場合に使用される。
＜サーバー＞
サーバー２００は、通信部２０２、電子メール解析部２０４、位置情報記憶部２０８およびサービス部２１０を備える。また、サービス部２１０は、安否情報サービス部２１２、所在情報サービス部２１４、情報印刷サービス部２１６および位置情報変換サービス部２２０を備える。
通信部２０２は、ネットワーク６０を介して印刷装置１００やサービス利用者７０と通信可能に設定されている。
【００３６】
電子メール解析部２０４は、印刷装置１００から送信される電子メールを解析し、送信元のメールアドレスのアカウント名から印刷装置１００の位置情報を取得する。電子メール解析部２０４は、取得した印刷装置１００の位置情報を位置情報記憶部２０８に記憶する。また、電子メール解析部２０４は、電子メールに二次元バーコートのような識別子が含まれている場合、識別子を解読して種々の情報を抽出する。
また、電子メール解析部２０４は、電子メールに記載された個人に関する情報や抽出した情報が、安否確認や所在確認のために記載されている場合、これらの情報と、位置情報と、を関連付けて位置情報記憶部２０８に記憶する。
【００３７】
安否情報サービス部２１２は、サービス利用者７０からの情報提供要求に基づいて、指名した個人に関する情報が位置情報記憶部２０８に記憶されている場合、指名した個人が印刷装置１００から所在を通知し、所在が確認されていることをサービス利用者７０に提供する。
また、所定の地域で所在が確認されている個人の情報提供が要求された場合、安否情報サービス部２１２は、所定の地域に設置された印刷装置１００から情報を入力した個人の情報を位置情報記憶部２０８から抽出し、抽出した情報をサービス利用者７０に提供する。
【００３８】
所在情報サービス部２１４は、サービス利用者７０からの情報提供要求に基づいて、指名した個人に関する情報が位置情報記憶部２０８に記憶されている場合、個人が所在する位置情報をサービス利用者７０に提供する。
情報印刷サービス部２１６は、サービス利用者７０からの情報出力要求に基づいて、指定する文書や画像を、指定する領域内に載置された印刷装置１００から印刷する。
位置情報変換サービス部２２０は、日本国内がメッシュ状に遍く分割されたＵＴＭグリッド地図に基づいて、経度および緯度の情報をＵＴＭ座標系で示す位置情報に変換するサービスを提供する。
尚、上述の各サービス部は、所定のエージェントがサービスを提供することにより各機能を実現する。
【００３９】
＜ネットワークプリントの登録処理＞
図２は、情報配信システム５０においてネットワークプリントを登録する処理の流れを示すフローチャートである。
最初に、ユーザーは、印刷装置１００からネットワークプリントを使用するためのネットワーク印刷設定を行う（ステップＳ１５０）。この場合、印刷装置１００から操作して登録しても良く、また、印刷装置１００を使用可能に登録したコンピューター（図示は略す）を操作して登録しても良い。
次に、ユーザーはネットワーク印刷設定の処理に合わせて必要な登録情報を入力し、入力が完了すると登録情報はサーバー２００に送信される。
次に、サーバー２００は、印刷装置１００から送信される登録情報を受信し、登録情報に基づいて印刷装置１００をネットワーク印刷可能に設定する（ステップＳ２５０）。
次に、サーバー２００は登録が完了すると、サーバー２００が決定したメールアドレスの情報を印刷装置１００に送信する。
【００４０】
次に、印刷装置１００はメールアドレスの情報を受信し、初期のメールアドレスとして取得する（ステップＳ１５２）。
次に、印刷装置１００は、自身の位置情報を取得し、更に、取得した位置情報に対応するＵＴＭ座標系で示した位置情報を取得する（ステップＳ１５４）。
次に、印刷装置１００は、ＵＴＭ座標系で示した位置情報に基づいてメールアドレスを生成し（ステップＳ１５６）、生成したメールアドレスの情報をサーバー２００に送信する。
次に、サーバー２００は、印刷装置１００から送信されるメールアドレスの情報を登録し（ステップＳ２５２）、メールアドレスを解析する（ステップＳ２５４）。
次に、サーバー２００は、メールアドレスから印刷装置１００の位置情報を取得し、取得した印刷位置の位置情報を記憶し（ステップＳ２５６）、処理を終了する。
＜個人の所在位置の登録処理＞
図３は、ネットワークプリントが使用可能に設定された印刷装置１００を操作して、個人の所在位置を登録する処理の流れを示すフローチャートである。
【００４１】
最初に、個人の所在位置を登録するユーザーは、個人を識別可能な識別情報を原稿に記載する。この場合、用紙に個人名を手書きで記載しても良い。また、個人名を識別する所定の識別子として一次元バーコードや二次元バーコード等を利用しても良い。
尚、二次元バーコードには、個人名に加えて、安否確認のための所在位置を登録する原稿であることを示す識別情報等の詳細な情報や、災害被害に関する情報が含まれても良い。このような情報は、例えば、地震、風水害、火災、火山、停電情報などの災害発生時に、個人の所在位置や災害被害をサーバー２００に通知する場合に適する。
ユーザーは、記載した原稿を印刷装置１００の原稿台にセットし読み取りを指示すると、印刷装置１００は個人の識別情報が記載された原稿を読み取る（ステップＳ１６０）。
次に、印刷装置１００は、読み取った原稿の画像データを添付した電子メールを生成し、生成した電子メールをサーバー２００に送信する（ステップＳ２００）。
【００４２】
次に、サーバー２００は、電子メールを受信し（ステップＳ２６０）、電子メールが送信されたメールアドレスから印刷装置１００の位置情報を取得する（ステップＳ２６２）。
次に、サーバー２００は、電子メールに添付された画像データに記載された個人の識別情報を抽出する（ステップＳ２６４）。
次に、サーバー２００は、個人の識別情報と、印刷装置１００の位置情報と、を関連付けて位置情報記憶部２０８に登録し（ステップＳ２６６）、処理を終了する。
＜指定した領域の個人への情報提供処理＞
情報印刷サービス部２１６のサービスにより、対象領域に所在する個人に対して所定の文書を印刷して配布し、配布した個人の情報をサービス利用者７０に通知することができる。図４は、指定した領域の個人への情報提供処理の流れを示すフローチャートである。
【００４３】
最初に、サービス利用者７０は、対象とする領域の範囲を設定し（ステップＳ７２）、更に、情報の伝達をサーバー２００に要求する（ステップＳ７４）。
次に、サーバー２００は、サービス利用者７０からの要求に基づいて、情報印刷サービスを開始する（ステップＳ２８０）。
次に、サーバー２００は、サービス利用者７０が設定した対象範囲をＵＴＭ座標系に変換し（ステップＳ２８２）、対象範囲に所在するユーザーの情報を位置情報記憶部２０８に記憶された情報から抽出する（ステップＳ２８４）。
次に、サーバー２００は、抽出したユーザーが登録した印刷装置１００に対して伝達情報を送信する（ステップＳ２８６）。
【００４４】
次に、印刷装置１００は、サーバー２００から送信される伝達情報を受信し（ステップＳ１７０）、受信した伝達情報を印刷する（ステップＳ１７２）。
サーバー２００は、伝達情報を送信後、伝達情報を送信したユーザーに関する情報を通知する（ステップＳ２８８）。
サービス利用者７０は、サーバー２００から通知されたユーザーの情報を確認し（ステップＳ７６）、処理を終了する。
【００４５】
以上述べた実施形態によれば、以下のような効果を奏する。
（１）印刷装置１００に割り付けるメールアドレスは、印刷装置１００の所在位置に関する情報と一意に対応しているため、災害発生時に被災者が自身の所在位置を知らない場合であっても、自身の氏名等を紙に書いて印刷装置１００に読み取らせることにより、自身の生存情報や所在情報がネットワーク６０を介してサーバー２００に通知できる。更に、サーバー２００は、被災者の関係者等からの問い合わせに対して、被災者の安否情報や所在情報を通知できるため、災害発生時に有益な社会的インフラを容易かつ安価に構築できる。
【００４６】
（２）また、災害発生時において、対象地域を限定して種々の有益な情報を通知したい場合、印刷装置１００に割り付けた位置情報を含むメールアドレスに基づいて、対象地域に該当するか、否かを容易に判定できるため、各地域に設置された印刷装置１００のうち、対象地域内に設置された印刷装置１００を対象として情報を迅速かつ確実に伝達できる。
（３）更に、メールアドレスに含まれる位置情報は、ＵＴＭ座標系に基づくため、緯度・経度による表示よりも少ない情報量で示せることに加え、国土を遍くメッシュ状に分割したＵＴＭグリッド地図を用いることにより、災害発生時のように複数の公的機関が協働する場合、位置情報を共有することで災害場所等の特定が容易になる。
【００４７】
本発明の実施形態について、図面を参照して説明したが、具体的な構成は、この実施形態に限られるものではなく、本発明の要旨を逸脱しない範囲の設計変更等も含まれる。例えば、印刷装置１００から送信する情報は、個人の識別情報には限定されず、例えば、災害発生地域をマークした地図であっても良い。この場合、地図を読み取った画像データはサーバー２００に送信され、サーバー２００は受信して復元した地図から危険な場所をＵＴＭ座標系に変換し、官公庁や報道機関等のサービス利用者７０に位置情報を通知する態様も想定できる。
【００４８】
また、位置情報をＵＴＭ座標系に変換する処理は、サーバー２００に依存せず、印刷装置１００が単独で行ってもよい。例えば、ＵＴＭ座標系に変換するためのデータベースを記憶部１０８が備え、印刷装置１００は、データベースを参照し、経度および緯度で記述された位置に関する情報をＵＴＭ座標系で示す位置情報に変換しても良い。
また、以上のような手法を実施する装置は、単独の装置によって実現される場合もあれば、複数の装置を組み合わせることによって実現される場合もあり、各種の態様を含むものである。
各実施形態における各構成及びそれらの組み合わせは一例であり、本発明の趣旨から逸脱しない範囲内で、構成の付加、省略、置換およびその他の変更が可能である。また、本発明は実施形態により限定されるものではなく、クレームの範囲によってのみ限定される。
【符号の説明】
【００４９】
５０…情報配信システム、６０…ネットワーク、７０…サービス利用者、１００…印刷装置、１０２…原稿読取部、１０４…画像処理部、１０６…位置情報取得部、１０８…記憶部、１１０…メールアドレス設定部、１１２…通信部、１１４…受信部、１１６…送信部、１１８…画像印刷部、２００…サーバー、２０２…通信部、２０４…電子メール解析部、２０８…位置情報記憶部、２１０…サービス部、２１２…安否情報サービス部、２１４…所在情報サービス部、２１６…情報印刷サービス部、２２０…位置情報変換サービス部。
【図１】
2016091446.tif 000003
【図２】
2016091446.tif 000004
【図３】
2016091446.tif 000005
【図４】
2016091446.tif 000006